(57)【要約】      （修正有）【課題】（イ）ハンマー等で、軸の垂直方向に打撃を加えたとき、その力を軸の先端に向けるを容易にし、（ロ）錆びやペンキ等の不純物を逃がす窪みを六角柱の両端に付けた、（ハ）補助工具を掛けやすい、改良型の六角レンチを提供する。【解決手段】両端に窪み３を付けた正六角柱１の、一つの角から対角にかけて４５度の角度で切断したものを、切り口どうしを平行に１８０度反転させ、二つの物体を接合して、改良型の六角レンチとした。【選択図】図２
2009045724.tif 000002
【特許請求の範囲】
【請求項１】
平面図のように、一つの六角柱の両端に、少し窪みをつけ、その六角柱の一角を頂点とし、対角にかけて４５度に切断し、互いの切断面を平行に１８０度反転させ、接合した形の六角レンチ。
【発明の詳細な説明】
【技術分野】
【０００１】    本発明は、従来の六角レンチを改良したものである。
【背景技術】
【０００２】    従来、六角レンチという工具があった。
【発明の開示】
【発明が解決しようとする課題】
【０００３】    そのために、次のような問題点があった。
（イ）従来のものは、二本の軸の間に曲線部があった。その為に、ハンマー等で軸の垂直方向に打撃を加えたとき、その力を軸の先端に向けることが難しかった。
（ロ）従来のものは、先端部に、窪みが無かったので、六角穴付きボルトに差し込む時に、錆びやペンキ等の不純物を逃がす所が無かった。
（ハ）従来のものは、曲げ方向に対して、一組の対角が９０度の方向にあった為に、補助工具を掛けにくかった。
【課題を解決するための手段】
【０００４】    一つの正六角柱の両端に少し窪みをつけ、一角からその対角にかけて４５度の角度で切断したものを、切断面どうしを平行に１８０度反転させた形であり、両端に窪みをつけたこと、両軸の間に曲線部がないこと、互いの軸に対し一対の対辺が平行であること。以上を特徴とする六角レンチである。
【発明の効果】
【０００５】    この六角レンチを、六角穴付きボルトに、ハンマー等で叩き込むことにより、ボルトへの掛かりを深くでき、補助工具等を掛けても滑りにくく、楽に安全に、ボルトを緩めたり締めたりできる。
【発明を実施するための最良の形態】
【０００６】    以下、本発明の実施の形態について説明する。
（イ）一つの正六角形の一角を真上に置く。
（ロ）真上の一角から真下の一角に向かって、４５度に切断する。製作前図参照。
（ハ）切り口どうしを平行に１８０度反転させる。平面図参照。
（ニ）この形のまま、二つの物体を融合させる。
本発明は以上のような構成で、この工具を、ボルト穴に差し込みながら、ハンマー等で叩き込めば、ボルト穴の不純物が砕け、工具がより深部に達し、外れにくく、ボルトに振動を与える事もでき、加えて、補助工具も掛かりやすい。したがって、特に、悪条件化において威力を発揮するはずである。
【図面の簡単な説明】
【０００７】
【図１】  本発明の製作前図
【図２】  本発明の平面図
【図３】  本発明の正面図
【図４】  本発明の右側面図
【符号の説明】
【０００８】    １  正六角柱
２  切断線
３  窪み
【図１】
2009045724.tif 000003
【図２】
2009045724.tif 000004
【図４】
2009045724.tif 000005
【手続補正書】
【提出日】平成19年10月22日(2007.10.22)
【手続補正２】
【補正対象書類名】図面
【補正対象項目名】全図
【補正方法】変更
【補正の内容】
【図１】
2009045724.tif 000006
【図２】
2009045724.tif 000007
【図３】
2009045724.tif 000008
【手続補正書】
【提出日】平成20年8月13日(2008.8.13)
【手続補正１】
【補正対象書類名】特許請求の範囲
【補正対象項目名】全文
【補正方法】変更
【補正の内容】
【特許請求の範囲】
【請求項１】
第一に直角部分から、先端に向かって、加えた衝撃力を、無駄なく先端に伝える為。軸心に曲線部を含まない、つまり、二本の直線を直角に繋いだ形を基本とする。
第二に、直角部分に、モンキーや片口スパナ等の補助工具を掛けて、旋回を助けやすいように、直角に接する両六角柱の、互いの一組の対辺を、外（最長）と内（最短）になるように構成した形状である。
第三に、直角部分から先端に向かって、打撃を加える事により、ボルト穴に固着した異物を砕き、中央に寄せ集め、さらに、ボルトの地下部分まで振動させるための、頑丈で、加工と再加工の容易な、円錐状のくぼみを、先端に備えている。しかも、この三点が密接に関連しあって、出来上がったのが、この形の六角レンチである。
【手続補正書】
【提出日】平成20年8月13日(2008.8.13)
【手続補正１】
【補正対象書類名】図面
【補正対象項目名】図５
【補正方法】追加
【補正の内容】
【図５】
2009045724.tif 000009
【手続補正２】
【補正対象書類名】図面
【補正対象項目名】図６
【補正方法】追加
【補正の内容】
【図６】
2009045724.tif 000010
【手続補正書】
【提出日】平成20年8月13日(2008.8.13)
【手続補正１】
【補正対象書類名】明細書
【補正対象項目名】全文
【補正方法】変更
【補正の内容】
【発明の詳細な説明】
【技術分野】
【０００１】本発明は、作業能率の向上と、省資源化を図った、六角レンチに関する。
【背景技術】
【０００２】従来使用されている六角レンチは、多少改良を試みられたものはあるものの、画期的な発明品というものは、いまだ現れていない。【０００３】過去の例を挙げてみる。
六角レンチを旋回させる折、ハンマー等で長桿部の稜線を打撃する事によって、稜線が壊れるのを防ぐため、六角柱の平面部を打撃しやすい角度に、捩じったもの。
六角レンチで穴付ボルトを、締めたり緩めたり、したときに、手指が痛いのを防ぐため、六角の向きを捩じったもの。
穴付ボルト穴からの、脱落防止ピン設置したこと。と同時に、六角の向きを捩じったたもの。先端に様々な形状の穴をあけ、横からバイパス穴をあけ、ゴミを取り出すしくみのもの。
先端に円錐状の窪みを、つくり、そこに色分け用の色をつけ、六角の寸法と一致させて、選別の簡素化を図ろうとしたもの。などである。【０００４】現在、産業界の多くが、様々な機械やプラント等で成り立っている。そしてその周りには、六角穴付ボルトが欠かせないものとなっている。しかし、その様な現場の多くは、狭く、動力を使った工具も、使い物にならないことがよくある。そして問題になるのが、様々な悪条件にさらされ、錆て異物が詰まったり、地下で錆たり焼きついたり、また、想像を超えた力によって、異常にかたくなった穴付ボルトを緩めたり締めたりすることである。
【発明の開示】
【発明が解決しようとする課題】
【０００５】以上の理由で、人力と手工具だけで、異物の詰まった、異常にかたい穴つきボルトを、緩めたり締めたりする事が必要となってくる。【０００６】穴付ボルトを緩めるためには、まず、異物の詰まった穴に、人力というちいさな力で六角レンチを挿入しなければならない。そしてつぎには、かたいボルトを人力によって、緩めたり締めたり、しなければならない。
【課題を解決するための手段】
【０００７】この様な状況に対処するためには、次のような条件を備えた道具を作る必要がある。
第一に、先端に向かって、打撃を加える事が、容易に出来る形状であること。
第二に、先端の形状が、異物を砕き、穴付ボルトの、穴の深部に達し、衝撃に耐えることができること。
第三に、直角部分の外側を、モンキーや、片口スパナ等で掴んで、旋回側に力を加えることができる形状であること。【０００８】上記の三点の条件を克服するためには、両端を、円錐状に抉った、六角柱の一辺の、任意の一点から、その対辺に向かって、４５度の点に向かって、直線を引き、この直線を、最長とする面で切断する。そして互いの切断面を平行に、片側だけを１８０度回転させる。すると、軸心及び全ての辺が、直線で構成された、直角の六角レンチの外観ができる。この形状を単体形成する。
【発明の効果】
【０００９】本発明は、六角穴付ボルトの、穴の中で固着した、錆やペンキ等の異物を、打撃力によって、砕き、中央に寄せ集め、さらに打撃を加えることで、ボルトの地下で、固着した錆等までも、振動を与えたうえで、片手で直角の外側を、補助工具で掴み、もう一方の手で、六角レンチの持ち手側を掴むことで、旋回軸を垂に保ったままで、回すことが出来る。そして、補助工具を使うことで、六角レンチ単体で使用するよりも、二倍以上のトルクをかける事が可能である。
【発明を実施するための最良の形態】
【００１０】まず始めに、六角レンチを叩き込むことが容易な形状とすること。つまりそのためには、基本的に曲線を含まない直角構造とすること。そしてこの直角構造を更に有効に使うために、補助工具をかけてトルクをかけたとき、力が最も有効に働く形状とするため、両六角柱の一組の対辺が、外と内になるように３０度旋回させた形状とすること。次に、先端は、穴つきボルトの穴に、堆積して固着した異物を粉砕して排斥し、残留分を中央に集めた後、ボルトの穴の底を介して、ボルトの地下部分までも振動させる為の衝撃に耐え、しかも、加工が容易であり、再加工も可能な形状が、円錐形である。盗みの角度や容量等は、強度や加工性や有効性等を計算した後、必要最小限にとどめる。
【図面の簡単な説明】
【００１１】
【図１】本発明の製作前図
【図２】本発明の平面図
【図３】本発明の正面図
【図４】本発明の右側面図
【図５】本発明の施工正面図
【図６】本発明の施工平面図
【符号の説明】
【００１２】    １  正六角柱
２  切断線
３  窪み
４  有効打撃方向
５  窪みに粉砕回収した異物
６  六角穴付ボルト
７  ８を生かすための力角
８  補助工具の底に作用する角
９  補助工具
【手続補正書】
【提出日】平成20年10月31日(2008.10.31)
【手続補正１】
【補正対象書類名】図面
【補正対象項目名】全図
【補正方法】変更
【補正の内容】
【図１】
2009045724.tif 000011
【図２】
2009045724.tif 000012
【図３】
2009045724.tif 000013
【図４】
2009045724.tif 000014